(57)【要約】【課題】側壁の耐力を低下させることなく、簡易かつ安価に周方向のＰＣケーブルを緊張固定することを可能とした地上タンクを提案する。【解決手段】コンクリート製の底版１０と、円筒状を呈するコンクリート製の側壁２０と、側壁２０の周方向に沿って側壁２０の内部に配設されたＰＣケーブル３２と、側壁２０の外側に配設されたＰＣ定着部４０とを備えていて、ＰＣ定着部４０を挟んで両側のそれぞれからＰＣ定着部４０に向けて側壁２０から突出する二つのＰＣケーブル３２の端部同士が、ＰＣ定着部４０を介して連結されており、ＰＣ定着部４０を側壁２０の外面から離隔させるスペーサー６０が、ＰＣケーブル３２の端部と側壁２０の外面との間に形成されている。【選択図】図１
2013091983.tif 000002
【特許請求の範囲】
【請求項１】
コンクリート製の底版と、円筒状もしくは略円筒状を呈するコンクリート製の側壁と、前記側壁の周方向に沿って当該側壁の内部に配設されたＰＣケーブルと、前記側壁の外側に配設されたＰＣ定着部と、を備える地上タンクであって、
前記ＰＣ定着部を挟んで両側のそれぞれから前記ＰＣ定着部に向けて前記側壁から突出する二つのＰＣケーブルの端部同士が、前記ＰＣ定着部を介して連結されており、
前記ＰＣ定着部を前記側壁の外面から離隔させるスペーサーが、前記ＰＣケーブルの端部と前記側壁の外面との間に形成されていることを特徴とする、地上タンク。
【請求項２】
前記スペーサーが、前記側壁と一体に形成されていることを特徴とする、請求項１に記載の地上タンク。
【請求項３】
前記スペーサーが、前記側壁と別体であることを特徴とする、請求項１に記載の地上タンク。
【請求項４】
前記スペーサーが、前記ＰＣケーブルを挿通する貫通孔を有していることを特徴とする、請求項１乃至請求項３のいずれか１項に記載の地上タンク。
【発明の詳細な説明】
【技術分野】
【０００１】
本発明は、地上タンクに関する。
【背景技術】
【０００２】
ＬＮＧやＬＰＧ、工業用水等を貯蔵するための従来の地上タンクは、底版と、底版に剛結合される側壁と、側壁の上端に接続する平板状またはドーム状の外槽屋根とから構成されている。
側壁は防液堤とも称され、その下端近傍、すなわち、底版と接合する箇所からその上方の一定の範囲においては、側壁の他の部位に比べて大きな断面力（曲げモーメントやせん断力など）が生じるために、該下端近傍の部材断面を他の部位に比べて相対的に大きくしたり、過密に配筋するなどの措置が講じられている。この地上タンクは、その用途や規模によって構成材料や構造形式が多様に存在するものの、ＬＮＧ貯蔵用タンク等の比較的大規模で耐久性が要求される場合においては、鉄筋コンクリート構造物として現場施工されているのが一般的である。そして、このＬＮＧ貯蔵用タンクの場合にはさらに、底版や側壁（防液堤）、外槽屋根の内側に保冷材層が形成され、その内側に内槽板層などが形成されてタンクの液密性と保冷性が保証されている。
【０００３】
このような地上タンクは、ＰＣケーブルなどの緊張材が側壁や底版の内部に配設されて所望する緊張力が導入されていることで効果的に鉄筋量を低減することができ、ひびわれを防止することができる。緊張力の導入方法としては、底版や側壁などに予めシース管を埋設しておき、底版や側壁の構築後にシース管内にＰＣケーブルを挿入するとともにＰＣケーブルの端部を引っ張ることで、緊張力（プレストレス力）を該シース管に導入し、底版や側壁に圧縮力を作用させるポストテンション方式の他、予めプレストレス力が導入されたＰＣケーブルを底版や側壁内部に埋め込んでおき、底版や側壁などの構築後にＰＣケーブルからプレストレス力を解放することで側壁などに圧縮力（軸力）を作用させる、プレテンション方式などがある。
【０００４】
ここで、側壁に埋設されるＰＣケーブルとしては、縦方向（鉛直方向）のＰＣケーブルと周方向のＰＣケーブルがある。
【０００５】
縦方向のＰＣケーブルは、例えば側壁断面の中央付近にその上端から底版まで延びる態様で埋設されて緊張されるものであり、側壁に対して鉛直方向の圧縮力を付与して該側壁に作用する曲げモーメントに抗する曲げ耐力を高めるためのものであり、側壁下端の過大な曲げモーメントに抗するべく側壁下方で外側に張り出す段部を有する形態においては、この段部の断面にも短尺のＰＣケーブルが埋設され、緊張力が導入されている。
【０００６】
一方、周方向のＰＣケーブルは、側壁内においてたとえば縦方向のＰＣケーブルの外側に配設されて緊張され、側壁に周方向の圧縮力を付与することにより、地上タンク内にＬＮＧやＬＰＧ等の液体が収容された際にその液圧で側壁の周方向に生じ得る引張力を解消しようとするものである。
【０００７】
周方向のＰＣケーブルを緊張する方法は、たとえば特許文献１で開示されるように側壁の外側に突出するいわゆるピラスターに対し、その左右方向から延びてきたＰＣケーブルを交差させてピラスターの左右側面に定着板を介して緊張固定するのが一般的である。
【０００８】
ピラスターの内部には、その左右端面に臨むようにシース管（トランペットシース管）が埋設され、ここを挿通したＰＣケーブルが緊張されるとともにシース管内にはグラウトが充填され、この緊張力が支圧板を介してピラスターに反力となる圧縮力を付与した状態でＰＣケーブルの緊張定着が図られている。
【０００９】
また、ピラスターの配筋構造としては、ピラスター筋と称されるひび割れ防止筋や幅止め筋を配し、さらには、圧縮力によってシース管周りのコンクリート内に割裂応力が作用してひび割れが誘発されるのを抑制するべく、シース管の周囲にスパイラル筋を配した構造が一般に適用されている。
【００１０】
しかし、このようなピラスターでは、左右から交差姿勢で進入する２つのＰＣケーブル用のシース管とその周りのスパイラル筋、ピラスター筋などが密に埋設されていることから、施工に手間がかかるとともに、コンクリートの充填不良箇所が発生するおそれがある。
【００１１】
なお、ピラスターの内部では、左右の定着板の間に圧縮領域が形成されるため、ピラスターは、この圧縮力に対して十分な耐力を備えたものである必要があった。
【００１２】
また、ピラスターは、一方のＰＣケーブルの端部は上方向に緊張し、他方のＰＣケーブルの端部は下方向に緊張しているのが一般的である。そのため、ピラスターの内部には、力のねじれが生じてしまい、構造上不利となる。ゆえに、ピラスターは、ねじれ方向の力（曲げモーメント）に対する補強も必要となる。
【００１３】
さらに、左右方向からのびてきたＰＣケーブルを上下に交差させることで、ＰＣケーブルの端部同士の間に高さ方向の段差が生じる。そのため、このＰＣケーブルの端部同士の段差により、ＰＣケーブルの高さ方向の配設ピッチが制限される場合があった。
【００１４】
一方、特許文献２には、側壁に凹部を形成し、この凹部内において定着装置を介して二つのＰＣケーブルの端部を繋ぐ地上タンクが開示されている。この地上タンクによれば、ピラスターを形成することなく、周方向のＰＣケーブルを緊張することができる。
【００１５】
ところが、特許文献２の地上タンクは、凹部による側壁の断面欠損が懸念される。また、ＰＣケーブルの本数が増えると、ケーブルの二つの端部を繋ぐための広さ（凹部の深さ方向の面積）が必要となる。そのため、タンクの内空側に側壁の増厚部分を形成するなどして補強する必要があるが、タンク内側に増厚部分を設けると、タンク内空断面積が小さくなり、タンク容量が小さくなるので、好ましくない。
【００１６】
また、緊張用ジャッキを用いてＰＣケーブルを緊張する際には、ジャッキを移動させながら緊張力を導入していくため、凹部の長手方向の寸法には、ジャッキの移動量を考慮した長さが必要であるが、タンク容量が大型化すると、ＰＣ導入力も大きくなり、ジャッキの移動量も大きくなる。
ジャッキの移動量が大きくなると、必要な凹部の長手方向の寸法が大きくなり、その分、側壁断面の欠損領域が大きくなる。そのため、特許文献２の地上タンクは、大型タンクには適さない。
【先行技術文献】
【特許文献】
【００１７】
【特許文献１】特開２００６−２９１５８２号公報
【特許文献２】特開昭５０−５８８４１号公報
【発明の概要】
【発明が解決しようとする課題】
【００１８】
本発明は、前記の問題点を解決することを目的とするものであり、タンク大型化、ＰＣ導入力の増加にも適応できる技術であって、側壁の耐力を低下させることなく、簡易かつ安価に周方向のＰＣケーブルを緊張固定することを可能とした地上タンクを提案することを課題とする。
【課題を解決するための手段】
【００１９】
前記課題を解決するために、本発明の地上タンクは、コンクリート製の底版と、円筒状もしくは略円筒状を呈するコンクリート製の側壁と、前記側壁の周方向に沿って当該側壁の内部に配設されたＰＣケーブルと、前記側壁の外側に配設されたＰＣ定着部とを備えるものであって、前記ＰＣ定着部を挟んで両側のそれぞれから前記ＰＣ定着部に向けて前記側壁から突出する二つのＰＣケーブルの端部同士が、前記ＰＣ定着部を介して連結されており、前記ＰＣ定着部を前記側壁の外面から離隔させるスペーサーが、前記ＰＣケーブルの端部と前記側壁の外面との間に形成されていることを特徴としている。
【００２０】
かかる地上タンクは、側壁に凹部を形成しないため、構造的に優れている。また、側壁の外面にスペーサーが形成された簡易な構成のため、施工性に優れており、かつ、安価である。
ここで、「二つのＰＣケーブルの端部」とは、１本のＰＣケーブルを側壁の周方向に沿って配設する場合には当該ＰＣケーブルの両端部、複数本のＰＣケーブルを側壁の周方向に沿って配設する場合には隣り合う２本のＰＣケーブルの各端部を意味する。
【００２１】
前記スペーサーは、前記側壁と一体に形成されていてもよいし、側壁と別体の部材を前記ＰＣケーブルと前記側壁との間に介在させることにより形成されていてもよい。
【００２２】
さらに、前記スペーサーが、前記ＰＣケーブルを挿通する貫通孔を有して形成されていれば、ＰＣケーブルの保護部材としても機能する。
【発明の効果】
【００２３】
本発明の地上タンクによれば、側壁の耐力を低下させることなく、簡易かつ安価に周方向のＰＣケーブルを緊張固定することを可能となる。
【図面の簡単な説明】
【００２４】
【図１】第一の実施形態に係る地上タンクを示す図であって、（ａ）は立面図、（ｂ）は（ａ）の部分拡大図である。
【図２】図１に示す地上タンクの平面図である。
【図３】（ａ）は側壁の拡大断面図、（ｂ）は（ａ）のＡ−Ａ断面図である。
【図４】側壁とスペーサーを示す断面図である。
【図５】（ａ）および（ｂ）は、ＰＣケーブルの配置を示す模式図である。
【図６】（ａ）は図５の（ａ）のＢ−Ｂ断面図、（ｂ）は（ａ）のＣ−Ｃ断面図である。
【図７】（ａ）はアンカープレートの正面図、（ｂ）は（ａ）のＤ−Ｄ断面図である。
【図８】第二の実施形態に係る地上タンクを示す立面図である。
【図９】（ａ）は側壁とスペーサーを示す断面図、（ｂ）はスペーサーの斜視図である。
【発明を実施するための形態】
【００２５】
＜第一の実施形態＞
第一の実施形態の地上タンク１は、図１に示すように、底版１０と、側壁２０と、ＰＣケーブル３０と、ＰＣ定着部４０（図４参照）と、屋根５０とを備えている。
【００２６】
地上タンク１の内部空間（底版１０、側壁２０および屋根５０により囲まれた空間）には、液体等が収容される。なお、地上タンク１の収容物は限定されるものではなく、例えばＬＮＧ、ＬＰＧ、工業用水等を収容することができる。
【００２７】
本実施形態の地上タンク１は、底版１０、側壁２０および屋根５０の内側に内槽板７０が設けられた二重構造により構成する。底版１０、側壁２０および屋根５０と内槽板７０との間には、保冷材７１が充填されている。なお、地上タンク１は、必ずしも二重構造である必要はない。
【００２８】
底版１０は、地盤上に形成された鉄筋コンクリート製の版状部材であって、直接基礎を兼ねている。
なお、底版１０は、必ずしも基礎を兼ねるものである必要はなく、底版１０とは別に基礎構造を構築してもよい。また、地上タンク１の基礎構造として、杭基礎やパイルドラフト基礎を適用してもよい。
【００２９】
底版１０は、側壁２０の外形状と同等以上の平面形状を有している。なお、底版１０の平面形状は限定されるものではなく、例えば円形や正方形等であってもよい。
底版１０の厚さは、基礎地盤の土質や、上載荷重（地上タンク１の自重等）に応じて適宜設定する。
【００３０】
底版１０には、図示しない放射状のＰＣケーブルと、リング状のＰＣケーブルとが、緊張力が導入された状態で配設されている。
なお、底版１０内のＰＣケーブルは、必要に応じて配置すればよい。
【００３１】
側壁２０は、防液堤を構成する鉄筋コンクリート製部材であって、底版１０の上面に立設されている。側壁２０の下端は底版１０に剛結合されている。本実施形態の側壁２０は、図２に示すように、円筒状に形成されている。なお、側壁２０の形状は、円筒状に限定されるものではなく、例えば楕円形をなす筒状（略円筒状）であってもよい。また、側壁２０の下端部に段部（壁厚部）を具備するものであってもよい。
【００３２】
側壁２０には、図３の（ａ）および（ｂ）に示すように、周方向で所定のピッチで配筋された縦筋２１と、上下方向で所定のピッチで配筋された横筋２２とを備えている。
縦筋２１および横筋２２は、側壁の外面から所定の被りを確保して配筋されている。
なお、必要に応じて、せん断補強筋を配筋してもよい。
【００３３】
側壁２０の内部には、図１に示すように、ＰＣケーブル３０が埋設されている。
ＰＣケーブル３０は、ＰＣ鋼より線により構成されている。なお、ＰＣケーブル３０を構成する材料は限定されるものではなく、例えば、ＰＣ鋼線やＰＣ鋼棒を使用してもよい。
【００３４】
側壁２０に埋設されるＰＣケーブル３０としては、縦方向（鉛直方向）のＰＣケーブル（以下、「縦ケーブル」という）３１と、周方向のＰＣケーブル（以下、「周ケーブル」という）３２とがある。
【００３５】
縦ケーブル３１は、側壁２０の厚さ方向の中央付近において上下方向に連続して配設されている。縦ケーブルの下端は、底版１０に定着している。側壁２０には、側壁２０の周方向に間隔をあけて複数本の縦ケーブル３１，３１，…が配設されている。
【００３６】
縦ケーブル３１には、緊張力が導入されていて、側壁２０に対して鉛直方向の圧縮力を付与している。こうすることで、側壁２０の曲げ耐力が高められる。
【００３７】
周ケーブル３２は、側壁２０内において縦ケーブル３１の外側に配設されている。
周ケーブル３２には、緊張力が導入されており、側壁２０に周方向の圧縮力を付与している。こうすることにより、地上タンク１内の液圧等により側壁２０の周方向に生じ得る引張力を解消、あるいは、低減することが可能となる。
【００３８】
周ケーブル３２は、側壁２０の内部に配設されたシース管２３（図３の（ｂ）参照）に挿通されているが、周ケーブル３２の配設方法は限定されるものではない。
【００３９】
周ケーブル３２の端部は、側壁２０から突出していて、側壁２０の外側に配設されたＰＣ定着部４０に向けて延びている。
【００４０】
側壁２０から突出した周ケーブル３２の端部は、スペーサー６０を貫通したうえでＰＣ定着部４０に固定されている。
【００４１】
本実施形態では、図５の（ａ）および（ｂ）に示すように、同一の高さレベルに配設された２本の周ケーブル３２，３２の端部同士をＰＣ定着部４０において繋ぎ合わせることにより、側壁２０に対して周方向の圧縮力を付与している。
【００４２】
なお、同一の高さレベルに配設される周ケーブル３２の本数は限定されるものではなく、例えば、１本の周ケーブル３２を配設して、その両端を一つのＰＣ定着部４０により繋いでもよいし、３本以上の周ケーブル３２，３２，…を配設して、隣接する周ケーブル３２，３２の端部同士をＰＣ定着部４０で繋いでもよい。
【００４３】
周ケーブル３２を挿通したシース管２３には、周ケーブル３２の緊張後にグラウトが充填される。
【００４４】
ＰＣ定着部４０は、図４に示すように、側壁２０の外側に配設されている。本実施形態では、同じ高さ位置に配設された２本の周ケーブル３２，３２に対して、２つのＰＣ定着部４０，４０が配設されている。つまり、２つのＰＣ定着部４０，４０は、地上タンク１の内空を挟んで対向する位置にそれぞれ配置されている（図５参照）。
【００４５】
任意の周ケーブル３２の高さレベルに応じて配設されたＰＣ定着部４０（図５の（ａ）参照）と、この周ケーブル３２の上方または下方の周ケーブル３２の高さレベルに応じて配設されたＰＣ定着部４０（図５の（ｂ）参照）とは、地上タンク１を平面視した際に、異なる平面位置となるように配置されている。
なお、ＰＣ定着部４０の数量や配設ピッチは限定されるものではなく、周ケーブル３２の本数等に応じて適宜設定すればよい。
【００４６】
ＰＣ定着部４０は、図６の（ｂ）に示すように、ＰＣ定着部４０を挟んで両側から突出した周ケーブル３２，３２の端部同士を連結している。
【００４７】
ＰＣ定着部４０は、図６の（ａ）および（ｂ）に示すように、プレート状のアンカーヘッド４１を備えて構成されている。
【００４８】
アンカーヘッド４１には、その両側から延びてきた周ケーブル３２，３２の端部が固定される。２本の周ケーブル３２，３２は、アンカーヘッド４１を介して繋がれる。
アンカーヘッド４１には、図７の（ａ）および（ｂ）に示すように、双方の周ケーブル３２，３２の端部が挿通される複数の挿通孔４２，４２，…が形成されている。
【００４９】
アンカーヘッド４１への周ケーブル３２に固定は、一方の周ケーブル３２の端部を挿通孔４２に挿通して固定し、次いで他方の周ケーブル３２の端部を他の挿通孔４２に挿通するとともに、この端部を緊張してアンカーヘッド４１に固定することにより行う。こうすることで、所望する緊張力を容易に周ケーブル３２，３２に導入して、双方の端部同士を緊張姿勢で繋ぐことができる。
【００５０】
スペーサー６０は、図４に示すように、側壁２０の外側に形成されている。スペーサー６０には、周ケーブル３２の端部（側壁２０から突出した部分）が挿通される。
本実施形態のスペーサー６０は、側壁２０に沿って上下方向に連続している。
【００５１】
本実施形態のスペーサー６０は、側壁２０と一体に形成された鉄筋コンクリート製の部材であって、側壁２０の外面に突設されている。
スペーサー６０は、鉄筋の一部が側壁２０内に定着していることで、側壁２０と一体化がなされている（図３の（ａ）参照）。
【００５２】
本実施形態では、スペーサー６０が、ＰＣ定着部４０を挟んで両側にそれぞれ形成されている。ＰＣ定着部４０を挟んで形成された左右のスペーサー６０は、溝状の空間を形成し、ＰＣ定着部４０は、この溝状の空間内に配設されている。
【００５３】
スペーサー６０の内部には、シース管６１が配設されている。シース管６１は、周ケーブル３２を挿通するための貫通孔となる。
周ケーブル３２をスペーサー６０のシース管６１に挿通すると、スペーサー６０の側壁２０側の部分が、周ケーブル３２と側壁２０との間に配設された状態となるため、周ケーブル３２は、側壁２０の外面から間隔をあけた状態でＰＣ定着部４０に固定され、ＰＣ定着部４０は、側壁２０の外面から離間した位置に配置される。
また、スペーサー６０の側壁２０の反対側の部分は、周ケーブル３２を覆い、周ケーブル３２を保護している。
【００５４】
スペーサー６０の外面は、平面部６２とすり付け部６３とを有している。
平面部６２は、ＰＣ定着部４０の位置において、側壁２０の外面に接する平面（接平面）と平行である。ＰＣ定着部４０を挟む二つのスペーサー６０，６０の平面部６２，６２は、同一平面上に形成されている。
【００５５】
すり付け部６３は、平面部６２から側壁２０の外面に至る平面（接平面）である。
平面部６２とすり付け部６３との交点の内角は、なるべく大きい方が望ましい。
【００５６】
本実施形態では、ＰＣ定着部４０により周ケーブル３２を固定した後、スペーサー６０，６０の間の空間をモルタル等により充填する。
スペーサー６０，６０の間の空間が間詰めされることで、スペーサー６０，６０により形成された凸部が流線形に近い形となる。
【００５７】
屋根５０は、図１に示すように、側壁２０の上部で支持されるドーム状のコンクリート製もしくは鋼製の部材である。屋根５０を構成する材料は限定するものではない。また、屋根５０の形状も限定されるものではなく、例えば平板状に形成する等、側壁２０の形状や収容物等に応じて適宜形成すればよい。
【００５８】
本実施形態の地上タンク１によれば、スペーサー６０が周ケーブル３２の端部と側壁２０の外面との間に介設されているため、周ケーブル３２の緊張に伴ってＰＣ定着部４０が側壁に近づいたとしても側壁２０と接触することはない。そのため、ＰＣ定着部４０との接触により側壁２０が損傷することがない。
【００５９】
また、スペーサー６０は、周ケーブル３２を覆っているため、周ケーブル３２の錆等を防止することができる。
【００６０】
周ケーブル３２の本数が多い場合であっても、スペーサー６０の形状を調整することで、ＰＣ定着部４０の配置スペースを確保することができる。
また、周ケーブル３２のＰＣ導入力が大きい場合であっても、スペーサー６０同士の間隔を調整することで、緊張力を導入するために必要な空間を確保することができる。
【００６１】
スペーサー６０により、周ケーブル３２の端部同士の接合部（ＰＣ定着部）が略流線形に形成されているため、側壁の周囲に風の吹き溜まり部分が形成されることがない。そのため、例えば、海に近い場所に地上タンク１を形成した場合であっても、塩分を含んだ砂等が局所的に堆積することはなく、したがって、部分的に劣化が進行することを防止することができる。
【００６２】
側壁２０に凹部（欠損部）を形成しないため、構造的に優れている。また、側壁２０の外面にスペーサー６０が形成された簡易な構成のため、施工性に優れており、かつ、安価である。
【００６３】
また、周ケーブル３２の緊張力を導入することで、側壁２０のコンクリートに対して圧縮力を一様に導入することが可能となる。
凹部（欠損部）を有した従来の地上タンク（特許文献２等）は、凹部における側壁の断面積が他の部分よりも小さいため、過度な緊張力が導入され、ひいては、過度な圧縮力が欠損部のコンクリート断面に発生することとなるが、本実施形態の地上タンク１によれば、このような局所的な応力集中が発生することがない。
また、凹部を備えた従来の地上タンクは、凹部の空隙をモルタル等で充填するものの、モルタル充填箇所には周ケーブルの緊張力が導入されていない。つまり、凹部（欠損部）にモルタルが充填された領域では、圧縮力が導入されていないため、側壁に弱部が存在することとなるが、本実施形態の地上タンク１は、側壁２０全断面に対して圧縮力を一様に導入しているため、このような弱部が存在することもない。
【００６４】
上下に隣接する周ケーブル３２，３２は、端部同士の繋ぎ箇所（ＰＣ定着部４０の配置）が鉛直方向で同一箇所に集中しないように配置されているため、不要な偏心が生じることが防止されている。
【００６５】
周ケーブル３２は、端部同士を互いに繋ぎ合わせた状態で緊張力が導入されているため、スペーサー６０への負担は小さい。そのため、スペーサー６０は、従来のピラスターのように、鉄筋等が密に配設された構造とする必要がなく、簡易に構築することができる。
つまり、周ケーブル３２の端部同士をＰＣ定着部４０を介して水平に連結して緊張するため、両方向に緊張する形となり、過度な応力集中が発生することがない。なお、従来のピラスターによる周ケーブルの緊張では、端部を一方向に緊張するため、周ケーブルの端部周辺のピラスターコンクリートには、過度な圧縮力が導入されて、ひいては、過度な応力集中が発生してしまう。
【００６６】
二つの周ケーブル３２の端部同士は、ＰＣ定着部４０を介して水平に連結されているため、周ケーブル３２の連結部において力のねじれが生じることがない。また、周ケーブル３２の端部同士の間に高さ方向の段差が生じることもないため、周ケーブル３２の高さ方向の配設ピッチが周ケーブル３２の端部同士の繋ぎ箇所により制限されることもない。
【００６７】
本実施形態の地上タンク１は、２本（複数本）の周ケーブル３２，３２の端部同士を連結することで、周ケーブル３２，３２が１つの輪として形成される。そのため、側壁２０に対して、局所的に圧縮力が異なることがなく、一様な大きさの圧縮力を導入することが可能となる。そのため、高品質な地上タンク１（側壁２０）を形成することができる。
なお、従来のピラスター構造の地上タンクでは、周ケーブルの端部はピラスターにおいて個別に緊張しているため、二つの周ケーブルの端部は、２系統に分断した状態となる。そのため、側壁に導入される周方向の圧縮力が局所的に異なってしまう。
【００６８】
＜第二の実施形態＞
第二の実施形態の地上タンク２は、図８に示すように、複数のスペーサー６０が、高さ方向に間隔をあけて配置されている点で、側壁２０に沿って上下に連続したスペーサー６０が形成された第一の実施形態の地上タンク１と異なっている。
【００６９】
スペーサー６０は、図９の（ａ）および（ｂ）に示すように、周ケーブル３２の端部（側壁２０から突出した部分）と側壁２０の外面との間に形成されている。
【００７０】
本実施形態のスペーサー６０は、側壁２０とは別体に形成された部材であって、側壁２０の外面に固定されている。なお、スペーサー６０は、側壁２０に一体に形成されていてもよい。
【００７１】
本実施形態では、工場等において形成されたプレキャスト部材を側壁２０の外面に設置することでスペーサー６０を形成するが、スペーサー６０の形成方法は限定されるものではない。例えば、側壁２０の外面に現場施工により形成してもよい。
また、スペーサー６０の材質は限定されるものではなく、例えばコンクリート部材であってもよいし、鋼板や形鋼等を組み合わせて形成した鋼製部材であってもよい。
【００７２】
スペーサー６０の外面には、図９の（ｂ）に示すように、周ケーブル３２を配設するための凹部６４が形成されている。なお、凹部６４は必要に応じて形成すればよい。
【００７３】
スペーサー６０は、図８に示すように、周ケーブル３２の高さ位置に応じて、側壁２０の外面に設置されている。スペーサー６０は、側壁２０の外面に強固に固定することなく、仮固定されている。したがって、スペーサー６０は、構造上、側壁２０に一体に固定されていない。
【００７４】
図９の（ａ）に示すように、スペーサー６０は、ＰＣ定着部４０を挟んで両側にそれぞれ形成されている。ＰＣ定着部４０を挟んで形成された左右のスペーサー６０，６０は、溝状の空間を形成している。
【００７５】
周ケーブル３２をスペーサー６０の凹部６４に配設すると、周ケーブル３２と側壁２０との間にスペーサー６０が介在した状態となるため、周ケーブル３２は、側壁２０の外面から間隔をあけて状態となる。こうすることで、ＰＣ定着部４０を、側壁２０の外面から離隔させている。
【００７６】
周ケーブル３２と側壁２０との間にスペーサー６０を介設させた状態で、周ケーブル３２を緊張すると、周ケーブル３２の緊張力の分力により、スペーサー６０が側壁２０に密着する。スペーサー６０は、この分力により、側壁２０の外面に固定された状態となる。
【００７７】
本実施形態では、アンカーヘッド４１により周ケーブル３２を固定した後、周ケーブル３２、ＰＣ定着部４０およびスペーサー６０をカバー材８０により覆う。
カバー材８０を構成する材料は限定されないが、例えば鋼板や炭素繊維シート等により構成すればよい。
【００７８】
ＰＣ定着部４０等をカバー材８０により覆ったら、カバー材８０の内部にモルタル等を充填し、周ケーブル３２が外気と接することがないようにする。
このとき、カバー材８０は、流線形に近い形となるようにする。
【００７９】
この他の第二の実施形態に係る地上タンク２の構成は、第一の実施形態で示した地上タンク１の構成と同様なため、詳細な説明は省略する。
【００８０】
本実施形態の地上タンク２によれば、スペーサー６０を上下方向で複数に分割することで、スペーサー６０の形状を小さくし、材料費を低減させることができる。
また、スペーサー６０として、プレキャスト部材を使用することで、施工期間の短縮を図ることができる。
【００８１】
カバー材８０により周ケーブル３２を覆っているため、周ケーブル３２を錆等から保護することができる。
【００８２】
この他の第二の実施形態の地上タンク２の作用効果は、第一の実施形態の地上タンク１の作用効果と同様なため、詳細な説明は省略する。
【００８３】
以上、本発明に係る実施の形態について説明した。しかし、本発明は、前述の実施形態に限られず、前記の各構成要素については、本発明の趣旨を逸脱しない範囲で、適宜変更が可能であることはいうまでもない。
【００８４】
周ケーブル３２は、側壁２０下端から上端に向って均一なピッチで配設してもよいし、高さレベルに応じて異なるピッチで配設してもよい。
【符号の説明】
【００８５】
１，２  地上タンク
１０  底版
２０  側壁
３２  周ケーブル（ＰＣケーブル）
４０  ＰＣ定着部
６０  スペーサー
６１  シース管（貫通孔）
【図１】
2013091983.tif 000003
【図２】
2013091983.tif 000004
【図３】
2013091983.tif 000005
【図４】
2013091983.tif 000006
【図５】
2013091983.tif 000007
【図６】
2013091983.tif 000008
【図７】
2013091983.tif 000009
【図８】
2013091983.tif 000010
【図９】
2013091983.tif 000011
【手続補正書】
【提出日】平成24年1月30日(2012.1.30)
【手続補正１】
【補正対象書類名】特許請求の範囲
【補正対象項目名】全文
【補正方法】変更
【補正の内容】
【特許請求の範囲】
【請求項１】
コンクリート製の底版と、円筒状もしくは略円筒状を呈するコンクリート製の側壁と、前記側壁の周方向に沿って当該側壁の内部に配設されたＰＣケーブルと、前記側壁の外側に配設されたＰＣ定着部と、を備える地上タンクであって、
前記ＰＣ定着部を挟んで両側のそれぞれから前記ＰＣ定着部に向けて前記側壁から突出する二つのＰＣケーブルの端部同士が、前記ＰＣ定着部を介して連結されており、
前記側壁に欠損部を形成することなく前記ＰＣ定着部を前記側壁の外面から離隔させるスペーサーが、前記ＰＣケーブルの端部と前記側壁の外面との間に形成されていることを特徴とする、地上タンク。
【請求項２】
前記スペーサーが、前記側壁と一体に形成されていることを特徴とする、請求項１に記載の地上タンク。
【請求項３】
コンクリート製の底版と、円筒状もしくは略円筒状を呈するコンクリート製の側壁と、前記側壁の周方向に沿って当該側壁の内部に配設されたＰＣケーブルと、前記側壁の外側に配設されたＰＣ定着部と、を備える地上タンクであって、
前記ＰＣ定着部を挟んで両側のそれぞれから前記ＰＣ定着部に向けて前記側壁から突出する二つのＰＣケーブルの端部同士が、前記ＰＣ定着部を介して連結されており、
前記ＰＣ定着部を前記側壁の外面から離隔させるスペーサーが、前記ＰＣケーブルの端部と前記側壁の外面との間に形成されてあり、
前記スペーサーは、前記側壁と別体であることを特徴とする、地上タンク。
【請求項４】
前記スペーサーが、前記ＰＣケーブルを挿通する貫通孔を有していることを特徴とする、請求項１乃至請求項３のいずれか１項に記載の地上タンク。
【手続補正２】
【補正対象書類名】明細書
【補正対象項目名】００１９
【補正方法】変更
【補正の内容】
【００１９】
前記課題を解決するために、本発明の地上タンクは、コンクリート製の底版と、円筒状もしくは略円筒状を呈するコンクリート製の側壁と、前記側壁の周方向に沿って当該側壁の内部に配設されたＰＣケーブルと、前記側壁の外側に配設されたＰＣ定着部とを備えるものであって、前記ＰＣ定着部を挟んで両側のそれぞれから前記ＰＣ定着部に向けて前記側壁から突出する二つのＰＣケーブルの端部同士が、前記ＰＣ定着部を介して連結されており、前記側壁に欠損部を形成することなく前記ＰＣ定着部を前記側壁の外面から離隔させるスペーサーが、前記ＰＣケーブルの端部と前記側壁の外面との間に形成されていることを特徴としている。